(57)【要約】【課題】ＵＩＣＣの運用効率の向上が望まれている。【解決手段】加入者情報管理部が、加入者ＤＢに対して第１のＩＭＳＩを登録する第１登録要求を送信する第１登録要求送信部と、ＵＩＣＣ書換部に対して第１及び第２のＩＭＳＩを登録する第２登録要求を送信する第２登録要求送信部と、第２登録要求に対する完了報告の受信に応じて第１のＩＭＳＩを第２のＩＭＳＩに書き換える書換要求を加入者ＤＢに送信する第１書換要求送信部とを有し、ＵＩＣＣ書換部が、第２登録要求に基づいて、第１及び第２のＩＭＳＩを登録する登録部と、第１のＩＭＳＩにより位置登録された無線通信端末に対して第１のＩＭＳＩを第２のＩＭＳＩに書き換える書換要求を送信する第２書換要求送信部と、無線通信端末の完了報告の受信に応じて、第２登録要求に対する完了報告を加入者情報管理部に送信する完了報告送信部とを有する無線通信システムを提供する。【選択図】図３
2016213743.tif 000002
【特許請求の範囲】
【請求項１】
ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含む加入者情報を管理する加入者情報管理部と、
ＵＩＣＣ（Ｕｎｉｖｅｒｓａｌ  Ｉｎｔｅｇｒａｔｅｄ  Ｃｉｒｃｕｉｔ  Ｃａｒｄ）の情報を書き換えるＵＩＣＣ書換部と
を備え、
前記加入者情報管理部は、
無線通信端末の位置情報を管理する加入者データベースに対して、第１のＩＭＳＩを登録する第１登録要求を送信する第１登録要求送信部と、
前記ＵＩＣＣ書換部に対して、前記第１のＩＭＳＩ及び第２のＩＭＳＩを登録する第２登録要求を送信する第２登録要求送信部と、
前記ＵＩＣＣ書換部から第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記第２登録要求に基づいて、前記第１のＩＭＳＩ及び前記第２のＩＭＳＩを登録する登録部と、
前記第１のＩＭＳＩにより位置登録された無線通信端末に対して、前記第１のＩＭＳＩを前記第２のＩＭＳＩに書き換える第２書換要求を送信する第２書換要求送信部と、
前記無線通信端末から書換完了報告を受信したことに応じて、前記第２登録要求に対する前記完了報告を前記加入者情報管理部に送信する完了報告送信部と
を有する、
無線通信システム。
【請求項２】
前記第１登録要求送信部は、前記加入者データベースに対して、前記第１のＩＭＳＩ及び一のＭＳＩＳＤＮを対応付けて登録する前記第１登録要求を送信し、
前記第２登録要求送信部は、前記ＵＩＣＣ書換部に対して、前記第１のＩＭＳＩ、前記第２のＩＭＳＩ及び前記一のＭＳＩＳＤＮを登録する前記第２登録要求を送信し、
前記第１書換要求送信部は、前記ＵＩＣＣ書換部から前記完了報告を受信したことに応じて、前記第１のＩＭＳＩ及び前記一のＭＳＩＳＤＮとの対応付けを、前記第２のＩＭＳＩ及び前記一のＭＳＩＳＤＮとの対応付けに書き換える前記第１書換要求を前記加入者データベースに送信する、請求項１に記載の無線通信システム。
【請求項３】
前記第１書換要求送信部は、前記第１のＩＭＳＩを削除する削除要求をさらに前記加入者データベースに送信する、請求項２に記載の無線通信システム。
【請求項４】
前記加入者データベースは、ＭＳＩＳＤＮが対応付けられていないＩＭＳＩの登録を拒否する、請求項２又は３に記載の無線通信システム。
【請求項５】
前記加入者データベースは、一のＩＭＳＩ以外の他のＩＭＳＩに対応付けられて登録されているＭＳＩＳＮＤと同一のＭＳＩＳＤＮと、前記一のＩＭＳＩとの対応付けの登録を拒否する、請求項２から４のいずれか一項に記載の無線通信システム。
【請求項６】
前記第２登録要求送信部は、前記第１のＩＭＳＩにより位置登録された前記無線通信端末の契約内容の種別を示す契約種別情報を含む前記第２登録要求を前記ＵＩＣＣ書換部に対して送信し、
前記第２書換要求送信部は、前記契約種別情報に基づいて決定した前記第２書換要求を前記無線通信端末に対して送信する、請求項１から５のいずれか一項に記載の無線通信システム。
【請求項７】
前記第２書換要求送信部は、前記無線通信端末に装着されたＵＩＣＣに格納された情報を初期状態に戻した後に前記ＵＩＣＣに格納された前記第１のＩＭＳＩを前記第２のＩＭＳＩに書き換える前記第２書換要求を、前記無線通信端末に送信する、請求項１から６のいずれか一項に記載の無線通信システム。
【請求項８】
前記第１のＩＭＳＩは、前記ＵＩＣＣ書換部との通信以外の通信が制限される識別情報であり、
前記第１のＩＭＳＩを用いて位置登録された前記無線通信端末は、音声通話及びデータ通信が制限される、請求項１から７のいずれか一項に記載の無線通信システム。
【請求項９】
前記第１のＩＭＳＩは、一意の識別情報であり、
前記無線通信端末は、前記第１のＩＭＳＩを用いてローミングが可能である、請求項１から８のいずれか一項に記載の無線通信システム。
【請求項１０】
ＩＭＳＩを含む加入者情報を管理する加入者情報管理部と、
ＵＩＣＣの情報を制御するＵＩＣＣ書換部と、
ＵＩＣＣに対して情報を書き込むＵＩＣＣライタと
を備え、
前記ＵＩＣＣライタは、
一のＵＩＣＣに格納された第１のＩＭＳＩを第２のＩＭＳＩに書き換える書換部
を有し、
前記加入者情報管理部は、
無線通信端末の位置情報を管理する加入者データベースに対して、前記第１のＩＭＳＩを登録する第１登録要求を送信する第１登録要求送信部と、
前記ＵＩＣＣ書換部に対して、前記第１のＩＭＳＩ及び前記第２のＩＭＳＩを登録する第２登録要求を送信する第２登録要求送信部と、
前記ＵＩＣＣ書換部から、前記第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記登録要求に基づいて、前記第１のＩＭＳＩ及び前記第２のＩＭＳＩを登録する登録部と、
前記ＵＩＣＣライタに対して、前記第１のＩＭＳＩを前記第２のＩＭＳＩに書き換える第２書換要求を送信する第２書換要求送信部と
を有する、無線通信システム。
【発明の詳細な説明】
【技術分野】
【０００１】
本発明は、無線通信システムに関する。
【背景技術】
【０００２】
電話番号及び契約内容などが格納されているＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを携帯電話機等の移動通信端末に装着することによって、電話番号を利用した通信等が利用可能になることが知られていた（例えば、特許文献１参照）。
［先行技術文献］
［特許文献］
［特許文献１］特開２０１０−１７８０２２号公報
【発明の概要】
【発明が解決しようとする課題】
【０００３】
ＳＩＭカード等のＵＩＣＣ（Ｕｎｉｖｅｒｓａｌ  Ｉｎｔｅｇｒａｔｅｄ  Ｃｉｒｃｕｉｔ  Ｃａｒｄ）の運用効率の向上が望まれている。
【課題を解決するための手段】
【０００４】
本発明の第１の態様によれば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含む加入者情報を管理する加入者情報管理部と、ＵＩＣＣの情報を制御するＵＩＣＣ書換部とを備え、加入者情報管理部が、無線通信端末の位置情報を管理する加入者データベースに対して、第１のＩＭＳＩを登録する第１登録要求を送信する第１登録要求送信部と、ＵＩＣＣ書換部に対して、第１のＩＭＳＩ及び第２のＩＭＳＩを登録する第２登録要求を送信する第２登録要求送信部と、ＵＩＣＣ書換部から第２登録要求に対する完了報告を受信したことに応じて、第１のＩＭＳＩを第２のＩＭＳＩに書き換える第１書換要求を加入者データベースに送信する第１書換要求送信部とを有し、ＵＩＣＣ書換部が、第２登録要求送信部から送信された第２登録要求に基づいて、第１のＩＭＳＩ及び第２のＩＭＳＩを登録する登録部と、第１のＩＭＳＩにより位置登録された無線通信端末に対して、第１のＩＭＳＩを第２のＩＭＳＩに書き換える第２書換要求を送信する第２書換要求送信部と、無線通信端末から書換完了報告を受信したことに応じて、第２登録要求に対する完了報告を加入者情報管理部に送信する完了報告送信部とを有する無線通信システムが提供される。
【０００５】
上記無線通信システムにおいて、第１登録要求送信部は、加入者データベースに対して、第１のＩＭＳＩ及び第１のＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ）を対応付けて登録する第１登録要求を送信してよく、第２登録要求送信部は、ＵＩＣＣ書換部に対して、第１のＩＭＳＩ、第２のＩＭＳＩ及び第１のＭＳＩＳＤＮを登録する第２登録要求を送信してよく、第１書換要求送信部は、ＵＩＣＣ書換部から完了報告を受信したことに応じて、第１のＩＭＳＩ及び第１のＭＳＩＳＤＮとの対応付けを、第２のＩＭＳＩ及び第１のＭＳＩＳＤＮとの対応付けに書き換える第１書換要求を加入者データベースに送信してよい。上記無線通信システムにおいて、第１書換要求送信部は、第１のＩＭＳＩを削除する削除要求をさらに加入者データベースに送信してよい。上記無線通信システムにおいて、加入者データベースは、ＭＳＩＳＤＮが対応付けられていないＩＭＳＩの登録を拒否してよい。上記無線通信システムにおいて、加入者データベースは、一のＩＭＳＩ以外の他のＩＭＳＩに対応付けられて登録されているＭＳＩＳＤＮと同一のＭＳＩＳＤＮと、一のＩＭＳＩとの対応付けの登録を拒否してよい。
【０００６】
上記無線通信システムにおいて、第２登録要求送信部は、第１のＩＭＳＩにより位置登録された無線通信端末の契約内容の種別を示す契約種別情報を含む第２登録要求をＵＩＣＣ書換部に対して送信してよく、第２書換要求送信部は、契約種別情報に基づいて決定した第２書換要求を無線通信端末に対して送信してよい。上記無線通信システムにおいて、第２書換要求送信部は、無線通信端末に装着されたＵＩＣＣに格納された情報を初期状態に戻した後にＵＩＣＣに格納された第１のＩＭＳＩを第２のＩＭＳＩに書き換える第２書換要求を、無線通信端末に送信してよい。上記無線通信システムにおいて、第１のＩＭＳＩは、ＵＩＣＣ書換部との通信以外の通信が制限される識別情報であってよく、第１のＩＭＳＩにより位置登録された無線通信端末は、音声通話及びデータ通信が制限されてよい。上記無線通信システムにおいて、第１のＩＭＳＩは、一意の識別情報であってよく、無線通信端末は、第１のＩＭＳＩを用いてローミングが可能であってよい。
【０００７】
本発明の第２の態様によれば、ＩＭＳＩを含む加入者情報を管理する加入者情報管理部と、ＵＩＣＣの情報を制御するＵＩＣＣ書換部と、ＵＩＣＣに対して情報を書き込むＵＩＣＣライタとを備え、上記ＵＩＣＣライタが、一のＵＩＣＣに格納された第１のＩＭＳＩを第２のＩＭＳＩに書き換える書換部を有し、上記加入者情報管理部が、無線通信端末の位置情報を管理する加入者データベースに対して、上記第１のＩＭＳＩを登録する第１登録要求を送信する第１登録要求送信部と、上記ＵＩＣＣ書換部に対して、上記第１のＩＭＳＩ及び上記第２のＩＭＳＩを登録する第２登録要求を送信する第２登録要求送信部と、上記ＵＩＣＣ書換部から、完了報告を受信したことに応じて、上記第１のＩＭＳＩを上記第２のＩＭＳＩに書き換える第１書換要求を上記加入者データベースに送信する第１書換要求送信部とを有し、上記ＵＩＣＣ書換部が、上記第２登録要求送信部から送信された上記登録要求に基づいて、上記第１のＩＭＳＩ及び上記第２のＩＭＳＩを登録する登録部と、上記ＵＩＣＣライタに対して、上記第１のＩＭＳＩを上記第２のＩＭＳＩに書き換える第２書換要求を送信する第２書換要求送信部とを有する、無線通信システムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】ＭＮＯシステム１００の通信環境の一例を概略的に示す。
【図２】ＭＮＯシステム１００による処理の流れの一例を概略的に示す。
【図３】ＭＮＯシステム１００によるさらに詳細な処理の流れの一例を概略的に示す。
【図４】管理サーバ１１０の機能構成の一例を概略的に示す。
【図５】書換サーバ１４０の機能構成の一例を概略的に示す。
【図６】ＵＩＣＣ４００の機能構成の一例を概略的に示す。
【図７】ＭＮＯシステム１００の通信環境の一例を概略的に示す。
【図８】ＭＮＯシステム１００による処理の流れの一例を概略的に示す。
【図９】ＭＮＯシステム１００による処理の流れの一例を概略的に示す。
【図１０】ＵＩＣＣライタ５００の機能構成の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、ＭＮＯ（Ｍｏｂｉｌｅ  Ｎｅｔｗｏｒｋ  Ｏｐｅｒａｔｏｒ）システム１００の通信環境の一例を概略的に示す。ＭＮＯシステム１００は、移動体通信事業者によって提供されるシステムであってよい。ＭＮＯシステム１００は、無線通信システムの一例であってよい。
【００１２】
ＭＮＯシステム１００は、ネットワーク１０に接続される。ネットワーク１０は、電話網及びインターネットを含む。ＭＮＯシステム１００は、ネットワーク１０及び基地局２０を介して、無線通信端末３００と通信する。無線通信端末３００は、ＵＩＣＣ４００を搭載可能な端末であり、例えば、スマートフォン等の携帯電話、タブレット端末及びＰＣ（Ｐｅｒｓｏｎａｌ  Ｃｏｍｐｕｔｅｒ）等である。
【００１３】
基地局２０は、例えば、３Ｇ（第３世代移動通信システム）、ＬＴＥ（Ｌｏｎｇ  Ｔｅｒｍ  Ｅｖｏｌｕｔｉｏｎ）、４Ｇ（第４世代移動通信システム）の少なくともいずれかに準拠する。なお、ＭＮＯシステム１００は、無線ＬＡＮアクセスポイントを介して無線通信端末３００と通信してもよい。
【００１４】
ＭＮＯシステム１００は、ネットワーク１０を介して、携帯電話の販売店舗４０に配置された店舗端末４２と通信する。店舗端末４２は、例えば、販売店舗４０における店舗端末４２の操作担当者によって操作される。店舗端末４２は、ネットワーク１０を介してＭＮＯシステム１００と通信可能であればどのような端末であってもよく、例えば、ＰＣ及びタブレット端末等である。
【００１５】
従来、携帯電話の新規契約をする場合、携帯電話の販売店舗等において契約者によって契約内容が決定され、当該契約内容に対応するＩＭＳＩが格納されたＵＩＣＣが携帯電話に装着されて、アクティベーションが行われていた。しかし、契約内容の多様化によるＵＩＣＣの種類の増加によって、店舗で予め備えておくＵＩＣＣの在庫の数が増加してしまい、店舗における在庫の管理コストが上昇したり、店舗における運用の複雑化を招いたりしていた。
【００１６】
本実施形態では、ＭＮＯシステム１００との通信以外の通信が制限される仮の国際移動加入者識別情報（仮ＩＭＳＩと称する場合がある。）を格納するＵＩＣＣ４００が無線通信端末３００に装着され、契約内容が決定した後に、ＭＮＯシステム１００が、契約内容に対応するＩＭＳＩ（本ＩＭＳＩと称する場合がある。）を、ネットワークを介して当該ＵＩＣＣ４００に書き込む。このような仕組みによって、店舗は、仮ＩＭＳＩを格納するＵＩＣＣ４００を備えておくことによって様々な契約内容に対応することができ、店舗におけるＵＩＣＣ４００の在庫の増加及び店舗における運用の複雑化を防止することができる。
【００１７】
ＵＩＣＣ４００は、例えば、ＳＩＭ（Ｓｕｂｓｃｒｉｂｅｒ  Ｉｄｅｎｔｉｆｙ  Ｍｏｄｕｌｅ）カード、ＣＳＩＭ（ＣＤＭＡ  Ｓｕｂｓｃｒｉｂｅｒ  Ｉｄｅｎｔｉｔｙ  Ｍｏｄｕｌｅ）カード、ＵＩＭ（Ｕｓｅｒ  Ｉｄｅｎｔｉｆｙ  Ｍｏｄｕｌｅ）カード、又は、Ｒ−ＵＩＭ（Ｒｅｍｏｖａｂｌｅ  Ｕｓｅｒ  Ｉｄｅｎｔｉｆｙ  Ｍｏｄｕｌｅ）カードである。仮ＩＭＳＩは、第１のＩＭＳＩの一例であってよい。本ＩＭＳＩは、第２のＩＭＳＩの一例であってよい。
【００１８】
図２は、ＭＮＯシステム１００による処理の流れの一例を概略的に示す。図２では、店舗４０において無線通信端末３００を新規契約する場合において、契約内容が決定し、無線通信端末３００に、仮ＩＭＳＩが格納されたＵＩＣＣ４００が装着された状態を開始状態として説明する。
【００１９】
ステップ２０２（ステップをＳと省略して記載する場合がある。）では、店舗端末４２が、決定された契約内容と、ＵＩＣＣ４００に格納された仮ＩＭＳＩとの登録要求をＭＮＯシステム１００に送信する。ＭＮＯシステム１００は、仮ＩＭＳＩと契約内容とを対応付けて記憶する。
【００２０】
Ｓ２０４では、無線通信端末３００が、ＵＩＣＣ４００に格納された仮ＩＭＳＩを含む位置登録要求をＭＮＯシステム１００に対して送信する。ＭＮＯシステム１００は、受信した位置登録要求に含まれる仮ＩＭＳＩが有効であると判定した場合、位置登録を行い、有効でないと判定した場合、位置登録要求を拒否する。ＭＮＯシステム１００は、位置登録要求に含まれる仮ＩＭＳＩが、Ｓ２０２で受信した仮ＩＭＳＩと一致した場合、当該仮ＩＭＳＩが有効であると判定してよい。
【００２１】
Ｓ２０６では、ＭＮＯシステム１００が、Ｓ２０４で受信した仮ＩＭＳＩに対応する契約内容を特定する。そして、ＭＮＯシステム１００は、特定した契約内容に基づいて決定した本ＩＭＳＩ及びＭＳＩＳＤＮ等を書き込む書込要求を、無線通信端末３００に送信する。書込要求は、本ＩＭＳＩ及びＭＳＩＳＤＮの他に、例えば、契約内容の種別を示すＩＭＳＩ＿Ｔｙｐｅ及び、書換の配信期間を管理・設定するためのフラグであるＴｉｍｅｒ＿ｆｌｇを含む。ＩＭＳＩ＿Ｔｙｐｅは契約種別情報の一例であってよい。
【００２２】
Ｓ２０８では、無線通信端末３００が、Ｓ２０６で受信した本ＩＭＳＩ及びＭＳＩＳＤＮをＵＩＣＣ４００に書き込んだ後、書込完了報告をＭＮＯシステム１００に対して送信する。ＭＮＯシステム１００は、書込完了報告を受信したことに応じて、本ＩＭＳＩとＭＳＩＳＤＮとを有効化する。
【００２３】
Ｓ２１０では、無線通信端末３００が、ＵＩＣＣ４００に格納された本ＩＭＳＩを含む位置登録要求を、ＭＮＯシステム１００に対して送信する。ＭＮＯシステム１００は、受信した位置登録要求に含まれる本ＩＭＳＩが有効であると判定した場合、位置登録を行い、有効でないと判定した場合、位置登録要求を拒否する。ＭＮＯシステム１００は、位置登録要求に含まれる本ＩＭＳＩが、Ｓ２０６で送信した本ＩＭＳＩと一致した場合、当該本ＩＭＳＩが有効であると判定してよい。
【００２４】
このように、ＭＮＯシステム１００は、無線通信端末３００に仮ＩＭＳＩを用いて位置登録を実行させることによって無線通信接続を確立可能とさせ、無線通信接続を介して本ＩＭＳＩ及びＭＳＩＳＤＮを無線通信端末３００に送信して、ＵＩＣＣ４００に書き込ませる。
【００２５】
図３は、ＭＮＯシステム１００によるさらに詳細な処理の流れの一例を概略的に示す。ＭＮＯシステム１００は、管理サーバ１１０、書換サーバ１４０、加入者ＤＢ１８０及び中継サーバ１９０を備えてよい。
【００２６】
管理サーバ１１０は、ＭＮＯシステム１００が提供するサービスの加入者の情報を管理する。管理サーバ１１０は、加入者情報管理部の一例であってよい。
【００２７】
書換サーバ１４０は、ネットワークを介して、ＵＩＣＣ４００の情報を書き換える。書換サーバ１４０は、ＵＩＣＣ書換部の一例であってよい。
【００２８】
加入者ＤＢ（データベース）１８０は、複数の無線通信端末３００の位置情報を管理する。加入者ＤＢ１８０は、ＨＬＲ（Ｈｏｍｅ  Ｌｏｃａｔｉｏｎ  Ｒｅｇｉｓｔｅｒ）であってよい。また、加入者ＤＢ１８０は、ＨＳＳ（Ｈｏｍｅ  Ｓｕｂｃｒｉｂｅｒ  Ｓｅｒｖｅｒ）であってよい。
【００２９】
本実施形態に係る加入者ＤＢ１８０は、ＭＳＩＳＤＮが対応付けられていないＩＭＳＩの登録を拒否する。また、本実施形態に係る加入者ＤＢ１８０は、一のＩＭＳＩ以外の他のＩＭＳＩに対応付けられて登録されているＭＳＩＳＤＮと同一のＭＳＩＳＤＮと、当該一のＩＭＳＩとの対応付けの登録を拒否する。
【００３０】
中継サーバ１９０は、書換サーバ１４０と無線通信端末３００との間の通信を中継する。中継サーバ１９０は、ＭＳＣ（Ｍｏｂｉｌｅ  Ｓｗｉｔｃｈｉｎｇ  Ｃｅｎｔｅｒ）であってよく、また、ＳＭＳＣ（Ｓｈｏｒｔ  Ｍｅｓｓａｇｅ  Ｓｅｒｖｉｃｅ  Ｃｅｎｔｅｒ）であってよい。
【００３１】
Ｓ３０２では、店舗端末４２が、決定された契約内容、ＵＩＣＣ４００のＩＣＣＩＤ（ＩＣ  Ｃａｒｄ  ＩＤｅｎｔｉｆｉｅｒ）及びＵＩＣＣ４００に格納された仮ＩＭＳＩの登録要求を、管理サーバ１１０に対して送信する。管理サーバ１１０は、受信した契約内容と、ＩＣＣＩＤと、仮ＩＭＳＩとを対応付けて記憶する。
【００３２】
Ｓ３０４では、管理サーバ１１０が、Ｓ３０２で受信した仮ＩＭＳＩと、当該仮ＩＭＳＩ対応するＭＳＩＳＤＮとの登録要求を、加入者ＤＢ１８０に対して送信する。当該登録要求は第１登録要求の一例であってよい。仮ＩＭＳＩに対応するＭＳＩＳＤＮは、管理サーバ１１０によって決定されてよい。また、管理サーバ１１０は、仮ＩＭＳＩに対応するＭＳＩＳＤＮを店舗端末４２から受信してもよい。例えば、店舗４０において、無線通信端末３００の購入者によってＭＳＩＳＤＮが選択される場合には、決定されたＭＳＩＳＤＮを店舗端末４２が管理サーバ１１０に送信する。加入者ＤＢ１８０は、受信した仮ＩＭＳＩとＭＳＩＳＤＮとを対応付けて登録する。
【００３３】
Ｓ３０６では、管理サーバ１１０が、Ｓ３０２で受信したＩＣＣＩＤ及び仮ＩＭＳＩと、Ｓ３０４で加入者ＤＢ１８０に送信したＭＳＩＳＤＮと、Ｓ３０２で受信した契約内容に応じて決定した本ＩＭＳＩと、当該契約内容に対応するＩＭＳＩ＿Ｔｙｐｅと、Ｔｉｍｅｒ＿ｆｌｇとの登録要求を、書換サーバ１４０に送信する。当該登録要求は第２登録要求の一例であってよい。管理サーバ１１０は、例えば、契約内容とＩＭＳＩ＿Ｔｙｐｅとの対応テーブルを予め登録しておき、当該対応テーブルを用いて、Ｓ３０２で受信した契約内容をＩＭＳＩ＿Ｔｙｐｅに変換して、当該ＩＭＳＩ＿Ｔｙｐｅを登録要求に含める。契約内容は、例えばスマートフォン、通信機能付きデジタルフォトフレーム等の契約の体系を含んでよい。書換サーバ１４０は、受信したＩＣＣＩＤと、仮ＩＭＳＩと、本ＩＭＳＩと、ＭＳＩＳＤＮと、ＩＭＳＩ＿Ｔｙｐｅと、Ｔｉｍｅｒ＿ｆｌｇとを対応付けて登録する。
【００３４】
Ｓ３０８では、無線通信端末３００が、ＵＩＣＣ４００から仮ＩＭＳＩを読み出す。Ｓ３１０では、無線通信端末３００が、Ｓ３０８で読み出した仮ＩＭＳＩを含む位置登録要求を、加入者ＤＢ１８０に対して送信する。位置登録要求は、中継サーバ１９０を介して加入者ＤＢ１８０に送信されてよい。加入者ＤＢ１８０は、受信した位置登録要求に応じて、無線通信端末３００の位置登録を実行する。
【００３５】
仮ＩＭＳＩは、書換サーバ１４０との通信以外の通信が制限される識別情報であってよい。例えば、仮ＩＭＳＩは、無線通信端末３００が書換サーバ１４０からデータを受信することができる一方で、音声通話及びデータ通信が制限される識別情報である。音声通話及びデータ通信が制限されるとは、例えば、音声通話及びデータ通信が禁止されることである。ＭＮＯシステム１００は、仮ＩＭＳＩによって位置登録をした無線通信端末３００に対して、音声通話及びデータ通信を制限してよい。
【００３６】
仮ＩＭＳＩは、全世界において一意の識別情報であってよい。これにより、無線通信端末３００は、仮ＩＭＳＩを用いて国際ローミングが可能である。すなわち、無線通信端末３００は、ＭＮＯシステム１００が設置された国とは異なる国から、ＭＮＯシステム１００に対して、仮ＩＭＳＩを含む位置登録要求を送信することができ、加入者ＤＢ１８０は、位置登録要求に応じて、無線通信端末３００を位置登録できてよい。また、無線通信端末３００は、フェムトセルを介して位置登録をすることも可能であってよい。
【００３７】
Ｓ３１２では、書換サーバ１４０が、無線通信端末３００に対して書換要求を送信する。書換要求は、本ＩＭＳＩ及びＭＳＩＳＤＮを含む。また、書換要求はＲｅｓｅｔ命令を含んでよい。Ｒｅｓｅｔ命令は、ＵＩＣＣ４００に格納された情報を初期状態に戻すことを指示する命令であってよい。当該書換要求は、第２書換要求の一例であってよい。
【００３８】
書換サーバ１４０は、ＧＩＤ（Ｇｒｏｕｐ  ＩＤ）等の他の設定項目を書換要求に含めてもよい。書換サーバ１４０は、Ｓ３０６で受信した登録要求に含まれるＩＭＳＩ＿Ｔｙｐｅに基づいて書換要求に含める設定項目を決定してよい。例えば、書換サーバ１４０は、複数のＩＭＳＩ＿Ｔｙｐｅのそれぞれに、ＩＭＳＩ＿Ｔｙｐｅ毎に定められた設定項目を対応付けて保持しておく。そして、書換サーバ１４０は、Ｓ３０６で受信したＩＭＳＩ＿Ｔｙｐｅに対応する設定項目を書換要求に含める。設定項目は、例えば、ＧＩＤの有無及びＧＩＤの設定値等を含む。
【００３９】
Ｓ３１４では、無線通信端末３００が、書換サーバ１４０から受信した書換要求に含まれるＲｅｓｅｔ命令に応じて、ＵＩＣＣ４００の情報を初期状態に戻す。ＵＩＣＣ４００の初期状態は、ＩＣＣＩＤを格納する領域にＵＩＣＣ４００に割り当てられたＩＣＣＩＤが格納されており、かつ、ＩＭＳＩを格納する領域に仮ＩＭＳＩが格納された状態であってよい。ＵＩＣＣ４００は、初期状態を記憶する領域を有していてよい。
【００４０】
そして、無線通信端末３００は、本ＩＭＳＩ及びＭＳＩＳＤＮをＵＩＣＣ４００に書き込む。無線通信端末３００は、ＵＳＡＴ（ＵＳＩＭ  Ａｐｐｌｉｃａｔｉｏｎ  Ｔｏｏｌｋｉｔ）機能を用いて、ＵＩＣＣ４００への書き込みを実行してよい。
【００４１】
無線通信端末３００は、ＥＮＶＥＬＯＰＥ（ＳＭＳ−ＰＰ  ＤＯＷＮＬＯＡＤ）コマンドを実行することにより、ＵＩＣＣ４００に対して本ＩＭＳＩ及びＭＳＩＳＤＮを送信する。ＵＩＣＣ４００は、ＩＭＳＩを格納する領域の仮ＩＭＳＩを本ＩＭＳＩに書き換える。また、ＵＩＣＣ４００は、ＭＳＩＳＤＮを格納する領域に、受信したＭＳＩＳＤＮを書き込む。
【００４２】
Ｓ３１６では、ＵＩＣＣ４００が、ＳＷ：９１ＸＸにより応答をする。Ｓ３１８では、ＵＩＣＣ４００から無線通信端末３００に対してプロアクティブコマンドを発行するようにすべく、無線通信端末３００が、ＵＩＣＣ４００に対してＦＥＴＣＨコマンドを実行する。Ｓ３２０では、無線通信端末３００が、中継サーバ１９０に対して受信報告を送信する。
【００４３】
Ｓ３２２では、ＵＩＣＣ４００が、無線通信端末３００に対して、ＳＥＮＤ  ＳＭＳコマンドを実行する。Ｓ３２４では、ＵＩＣＣ４００によるＳＥＮＤ  ＳＭＳコマンドの実行に応じて、無線通信端末３００が、書換完了報告を書換サーバ１４０に対して送信する。無線通信端末３００は、例えば、ＳＭＳ−Ｓｕｂｍｉｔ（ＰｏＲ）コマンドによって、書換完了報告を行う。
【００４４】
Ｓ３２６では、無線通信端末３００が、ＵＩＣＣ４００に対して、ＴＥＲＭＩＮＡＬ  ＲＥＳＰＯＮＳＥコマンドを実行する。Ｓ３２８では、ＵＩＣＣ４００が、ＳＷ：９０００により応答をする。
【００４５】
Ｓ３３０では、ＵＩＣＣ４００がＲＥＦＲＥＳＨコマンドを実行する。Ｓ３３２では、ＵＩＣＣ４００が、無線通信端末３００に対して、ＲＥＦＲＥＳＨ：ｒｅｂｏｏｔコマンドを実行する。ＲＥＦＲＥＳＨ：ｒｅｂｏｏｔコマンドに応じて、無線通信端末３００は、キャッシュ情報の更新及び再起動を行う。
【００４６】
なお、ここでは、無線通信端末３００がＵＳＡＴ機能を用いてＵＩＣＣ４００への書き込みを実行する場合を例に挙げて説明したが、これに限らない。ＵＩＣＣ４００への書き込みを実行することができれば、他の手段を用いてもよい。
【００４７】
Ｓ３３４では、書換サーバ１４０が、Ｓ３２４において無線通信端末３００から書換完了報告を受信したことに応じて、完了報告を管理サーバ１１０に送信する。
【００４８】
Ｓ３３６では、管理サーバ１１０が、無線通信端末３００から完了報告を受信したこと応じて、仮ＩＭＳＩを本ＩＭＳＩに書き換える書換要求を加入者ＤＢ１８０に送信する。当該書換要求は、本ＩＭＳＩ及びＭＳＩＳＤＮを含んでよい。当該書換要求は、第１書換要求の一例であってよい。加入者ＤＢ１８０は、管理サーバ１１０から受信した書換要求に応じて、仮ＩＭＳＩとＭＳＩＳＤＮとの対応付けを、本ＩＭＳＩとＭＳＩＳＤＮとの対応付けに書き換える。
【００４９】
ここで、管理サーバ１１０は、仮ＩＭＳＩを削除する削除要求をさらに加入者ＤＢ１８０に送信してよい。加入者ＤＢ１８０は、受信した削除要求に応じて、仮ＩＭＳＩを削除してよい。管理サーバ１１０は、書換要求とともに、削除要求を加入者ＤＢ１８０に送信してよい。また、管理サーバ１１０が削除要求を送信することなく、加入者ＤＢ１８０が、仮ＩＭＳＩを削除してもよい。
【００５０】
Ｓ３３８では、管理サーバ１１０が、無線通信端末３００に対してアクティベーション完了通知を送信する。管理サーバ１１０は、本ＩＭＳＩを用いて、ＳＭＳを利用してアクティベーション完了通知を無線通信端末３００に対して送信してよい。
【００５１】
上述したように、本実施形態に係る管理サーバ１１０及び書換サーバ１４０によれば、まず、仮ＩＭＳＩ及びＭＳＩＳＤＮが加入者ＤＢ１８０に登録される。そして、仮ＩＭＳＩを用いることによって確立された無線通信接続を介して、無線通信端末３００に本ＩＭＳＩが送信され、無線通信端末３００によるＵＩＣＣ４００に対する本ＩＭＳＩへの書き換えが完了した後で、加入者ＤＢ１８０における仮ＩＭＳＩとＭＳＩＳＤＮとの対応付けが、本ＩＭＳＩとＭＳＩＳＤＮとの対応付けに書き換えられる。これにより、ＭＳＩＳＤＮが対応付けられていないＩＭＳＩの登録を拒否し、かつ、一のＩＭＳＩ以外の他のＩＭＳＩに対応付けられて登録されているＭＳＩＳＤＮと同一のＭＳＩＳＤＮと、当該一のＩＭＳＩとの対応付けの登録を拒否する加入者ＤＢ１８０に対して、適切に仮ＩＭＳＩ及び本ＩＭＳＩを登録することができる。なお、ＭＮＯシステム１００は、上述したデータの送受信を実現できるプロトコルであれば、どのようなプロトコルを用いてもよい。
【００５２】
本実施形態に係る加入者ＤＢ１８０によれば、ＩＭＳＩとＭＳＩＳＤＮとが一対一で対応付けられる。これにより、ＭＳＩＳＤＮが対応付けられていないＩＭＳＩが登録されることと、一のＭＳＩＳＤＮに対して複数のＩＭＳＩが登録されることがなくなるので、加入者ＤＢ１８０が格納するデータ量の増加を低減することができる。なお、仮ＩＭＳＩ及び本ＩＭＳＩのそれぞれに別々のＭＳＩＳＤＮを対応付けることによって仮ＩＭＳＩ及び本ＩＭＳＩの両方を登録することもできるが、そのような代替手段に比べて、本実施形態に係る管理サーバ１１０及び書換サーバ１４０による処理は、ＭＳＩＳＤＮの利用数を低減することができ、ＭＳＩＳＤＮの枯渇の防止に貢献することができる。
【００５３】
図４は、管理サーバ１１０の機能構成の一例を概略的に示す。管理サーバ１１０は、加入者情報格納部１１２、登録要求送信部１１４、登録要求送信部１１６、完了報告受信部１１８、書換要求送信部１２０及び完了通知送信部１２２を備える。
【００５４】
加入者情報格納部１１２は、加入者情報を格納する。加入者情報は仮ＩＭＳＩ、本ＩＭＳＩ、ＩＣＣＩＤ、ＭＳＩＳＤＮ及びＧＩＤを含んでよい。
【００５５】
登録要求送信部１１４は、加入者ＤＢ１８０に対して、仮ＩＭＳＩ及びＭＳＩＳＤＮを登録する登録要求を送信する。登録要求送信部１１４は、第１登録要求送信部の一例であってよい。
【００５６】
登録要求送信部１１６は、書換サーバ１４０に対して、仮ＩＭＳＩ及び本ＩＭＳＩを登録する登録要求を送信する。登録要求は、ＩＣＣＩＤ、ＭＳＩＳＤＮ、ＩＭＳＩ＿Ｔｙｐｅ及びＴｉｍｅｒ＿ｆｌｇを含んでもよい。登録要求送信部１１６は、第２登録要求送信部の一例であってよい。
【００５７】
完了報告受信部１１８は、書換サーバ１４０から、完了報告を受信する。完了報告受信部１１８が完了報告を受信したことに応じて、加入者情報格納部１１２は、仮ＩＭＳＩを無効化して、本ＩＭＳＩを有効化してよい。加入者情報格納部１１２は、例えば、仮ＩＭＳＩに無効化フラグを対応付ける。また、加入者情報格納部１１２は、仮ＩＭＳＩを削除してもよい。
【００５８】
書換要求送信部１２０は、完了報告受信部１１８が完了報告を受信したことに応じて、仮ＩＭＳＩを本ＩＭＳＩに書き換える書換要求を加入者ＤＢ１８０に送信する。書換要求送信部１２０は、第１書換要求送信部の一例であってよい。
【００５９】
完了通知送信部１２２は、書換要求送信部１２０が書換要求を加入者ＤＢ１８０に対して送信した後に、アクティベーション完了通知を無線通信端末３００に対して送信する。完了通知送信部１２２は、ショートメッセージサービスを利用して、アクティベーション完了通知を無線通信端末３００に対して送信してよい。
【００６０】
図５は、書換サーバ１４０の機能構成の一例を概略的に示す。書換サーバ１４０は、加入者情報格納部１４２、登録要求受信部１４４、登録部１４６、書換要求送信部１４８、書換完了報告受信部１５０及び完了報告送信部１５２を備える。
【００６１】
加入者情報格納部１４２は、加入者情報を格納する。加入者情報は、仮ＩＭＳＩ、本ＩＭＳＩ、ＩＣＣＩＤ、ＭＳＩＳＤＮ及びＧＩＤを含んでよい。登録要求受信部１４４は、登録要求送信部１１６によって送信された仮ＩＭＳＩ及び本ＩＭＳＩを登録する登録要求を受信する。登録部１４６は、登録要求受信部１４４が受信した登録要求に応じて、仮ＩＭＳＩ及び本ＩＭＳＩを対応付けて加入者情報格納部１４２に登録する。
【００６２】
書換要求送信部１４８は、仮ＩＭＳＩによって位置登録された無線通信端末３００に対して、仮ＩＭＳＩを本ＩＭＳＩに書き換える書換要求を送信する。書換要求送信部１４８は、第２書換要求送信部の一例であってよい。書換完了報告受信部１５０は、無線通信端末３００から、仮ＩＭＳＩを本ＩＭＳＩに書き換えたことを報告する書換完了報告を受信する。完了報告送信部１５２は、書換完了報告受信部１５０が書換完了報告を受信したことに応じて、完了報告を管理サーバ１１０に対して送信する。
【００６３】
図６は、ＵＩＣＣ４００の機能構成の一例を概略的に示す。ＵＩＣＣ４００は、格納部４０２、送信部４０４、受信部４０６及び書換部４０８を備える。
【００６４】
格納部４０２は、ＵＩＣＣ４００に割り当てられたＩＣＣＩＤと、ＭＳＩＳＤＮと、仮ＩＭＳＩと、本ＩＭＳＩとを格納する。格納部４０２は、さらにＧＩＤを格納してよい。格納部４０２は、初期状態を格納してよい。初期状態は、ＩＣＣＩＤ及び仮ＩＭＳＩを含んでよい。
【００６５】
送信部４０４は、格納部４０２に格納された情報を送信する。送信部４０４は、仮ＩＭＳＩを無線通信端末３００に対して送信してよい。
【００６６】
受信部４０６は、本ＩＭＳＩ及びＭＳＩＳＤＮを受信する。受信部４０６は、ＧＩＤを受信してもよい。受信部４０６が受信した情報は、格納部４０２に格納される。
【００６７】
書換部４０８は、格納部４０２に格納されたＩＭＳＩを書き換える。書換部４０８は、無線通信端末３００の指示に従って、ＩＭＳＩを格納する領域に記憶された仮ＩＭＳＩを本ＩＭＳＩに書き換える。
【００６８】
図７は、ＭＮＯシステム１００の通信環境の一例を概略的に示す。ここでは、ＭＮＯシステム１００の通信環境について、図１とは異なる点を主に説明する。
【００６９】
ＭＮＯシステム１００は、ネットワーク１０を介して、店舗４０に配置されたＵＩＣＣライタ５００と通信する。ＭＮＯシステム１００は、仮ＩＭＳＩを格納するＵＩＣＣ４００がＵＩＣＣライタ５００に装着され、契約内容が決定した後に、ＵＩＣＣライタ５００を介して、契約内容に対応する本ＩＭＳＩを当該ＵＩＣＣ４００に書き込む。
【００７０】
図８は、ＭＮＯシステム１００による処理の流れの一例を概略的に示す。図８は、無線通信端末３００を新規契約する場合において、契約内容が決定し、ＵＩＣＣライタ５００に仮ＩＭＳＩが格納されたＵＩＣＣ４００が装着され、ＵＩＣＣ４００のＩＣＣＩＤ、契約内容及び仮ＩＭＳＩが、店舗端末４２又はＵＩＣＣライタ５００によって管理サーバ１１０に送信された状態を開始状態として説明する。
【００７１】
Ｓ８０２では、管理サーバ１１０の登録要求送信部１１４が、仮ＩＭＳＩ及びＭＳＩＳＤＮの登録要求を加入者ＤＢ１８０に送信する。当該登録要求は第１登録要求の一例であってよい。加入者ＤＢ１８０は、受信した仮ＩＭＳＩ及びＭＳＩＳＤＮを対応付けて登録する。
【００７２】
Ｓ８０４では、管理サーバ１１０の登録要求送信部１１６が、ＩＣＣＩＤ、ＭＳＩＳＤＮ、仮ＩＭＳＩ、本ＩＭＳＩ、ＩＭＳＩ＿Ｔｙｐｅ及びＴｉｍｅｒ＿ｆｌｇの登録要求を書換サーバ１４０に対して送信する。当該登録要求は第２登録要求の一例であってよい。書換サーバ１４０は、受信したＩＣＣＩＤと、ＭＳＩＳＤＮと、仮ＩＭＳＩと、本ＩＭＳＩと、ＩＭＳＩ＿Ｔｙｐｅと、Ｔｉｍｅｒ＿ｆｌｇとを対応付けて登録する。
【００７３】
Ｓ８０６では、書換サーバ１４０の書換要求送信部１４８が、ＵＩＣＣライタ５００に対して書換要求を送信する。書換要求は、本ＩＭＳＩ及びＭＳＩＳＤＮを含む。また、書換要求は、Ｒｅｓｅｔ命令を含んでよい。Ｒｅｓｅｔ命令は、ＵＩＣＣ４００に格納された情報を初期状態に戻すことを指示する命令であってよい。当該書換要求は第２書換要求の一例であってよい。書換要求送信部１４８は、第２書換要求送信部の一例であってよい。
【００７４】
Ｓ８０８では、ＵＩＣＣライタ５００が、Ｓ８０６で受信した書換要求に含まれるＲｅｓｅｔ命令に応じて、ＵＩＣＣ４００の情報を初期状態に戻す。そして、ＵＩＣＣライタ５００は、ＵＩＣＣ４００のＩＭＳＩを格納する領域の仮ＩＭＳＩを本ＩＭＳＩに書き換える。また、ＵＩＣＣライタ５００は、ＵＩＣＣ４００のＭＳＩＳＤＮを格納する領域に、Ｓ８０６で受信したＭＳＩＳＤＮを書き込む。
【００７５】
Ｓ８１０では、ＵＩＣＣライタ５００が、書換完了通知を書換サーバ１４０に対して送信する。Ｓ８１２では、書換サーバ１４０の完了報告送信部１５２が、ＵＩＣＣライタ５００から書換完了通知を受信したことに応じて、完了報告を管理サーバ１１０に送信する。
【００７６】
Ｓ８１４では、管理サーバ１１０の書換要求送信部１２０が、書換サーバ１４０から完了報告を受信したことに応じて、仮ＩＭＳＩを本ＩＭＳＩに書き換える書換要求を加入者ＤＢ１８０に送信する。当該書換要求は、本ＩＭＳＩ及びＭＳＩＳＤＮを含んでよい。当該書換要求は第１書換要求の一例であってよい。加入者ＤＢ１８０は、管理サーバ１１０から受信した書換要求に応じて、仮ＩＭＳＩとＭＳＩＳＤＮとの対応付けを、本ＩＭＳＩとＭＳＩＳＤＮとの対応付けに書き換える。Ｓ８１６では、管理サーバ１１０の完了通知送信部１２２が、登録完了通知をＵＩＣＣライタ５００に対して送信する。
【００７７】
図９は、ＭＮＯシステム１００による処理の流れの一例を概略的に示す。図９は、無線通信端末３００の契約を変更する場合において、変更する契約内容が決定し、ＵＩＣＣライタ５００にＵＩＣＣ４００が装着され、ＵＩＣＣ４００のＩＣＣＩＤ、変更する契約内容及び仮ＩＭＳＩが、店舗端末４２又はＵＩＣＣライタ５００によって管理サーバ１１０に送信された状態を開始状態として説明する。
【００７８】
Ｓ９０２では、管理サーバ１１０の登録要求送信部１１４が、変更する契約内容に対して決定された変更後のＩＭＳＩ（変更ＩＭＳＩと称する場合がある。）と、ＵＩＣＣ４００のＩＣＣＩＤとを、書換サーバ１４０に対して送信する。
【００７９】
Ｓ９０４では、書換サーバ１４０の書換要求送信部１４８が、ＵＩＣＣライタ５００に対して書換要求を送信する。書換要求は、Ｒｅｓｅｔ命令及び書換後情報を含む。書換後情報は、変更ＩＭＳＩ及びＭＳＩＳＤＮを含む。また、書換後情報は、他の情報を含んでもよい。例えば、書換後情報はＧＩＤを含む。
【００８０】
Ｓ９０６では、ＵＩＣＣライタ５００が、Ｓ９０４で受信した書換要求に含まれるＲｅｓｅｔ命令に応じて、ＵＩＣＣ４００の情報を初期状態に戻す。そして、ＵＩＣＣライタ５００は、ＵＩＣＣ４００のＩＭＳＩを格納する領域の仮ＩＭＳＩを変更ＩＭＳＩに書き換える。また、ＵＩＣＣライタ５００は、ＵＩＣＣ４００のＭＳＩＳＤＮを格納する領域に、書換後情報に含まれるＭＳＩＳＤＮを書き込む。また、ＵＩＣＣライタ５００は、書換後情報に他の情報が含まれる場合、当該情報もＵＩＣＣ４００に書き込む。
【００８１】
Ｓ９０８では、ＵＩＣＣライタ５００が、書換完了通知を書換サーバ１４０に対して送信する。Ｓ９１０では、書換サーバ１４０が、ＵＩＣＣライタ５００から書換完了通知を受信したことに応じて、完了報告を管理サーバ１１０に送信する。
【００８２】
Ｓ９１２では、管理サーバ１１０の書換要求送信部１２０が、完了報告を書換サーバ１４０から受信したことに応じて、本ＩＭＳＩを変更ＩＭＳＩに書き換える書換要求を加入者ＤＢ１８０に送信する。当該書換要求は、変更ＩＭＳＩ及びＭＳＩＳＤＮを含んでよい。加入者ＤＢ１８０は、管理サーバ１１０から受信した書換要求に応じて、本ＩＭＳＩとＭＳＩＳＤＮとの対応付けを、変更ＩＭＳＩとＭＳＩＳＤＮとの対応付けに書き換える。Ｓ９１２では、管理サーバ１１０の完了通知送信部１２２が、登録完了通知をＵＩＣＣライタ５００に対して送信する。
【００８３】
図１０は、ＵＩＣＣライタ５００の機能構成の一例を概略的に示す。ＵＩＣＣライタ５００は、ＵＩＣＣ装着部５０２、書換要求受信部５０４及び書換部５０６を備える。
【００８４】
ＵＩＣＣ装着部５０２は、ＵＩＣＣ４００を装着する。書換要求受信部５０４は、書換サーバ１４０から、仮ＩＭＳＩを本ＩＭＳＩに書き換える書換要求を受信する。また、書換要求受信部５０４は、書換サーバ１４０から、本ＩＭＳＩを変更ＩＭＳＩに書き換える書換要求を受信する。
【００８５】
書換部５０６は、ＵＩＣＣ装着部５０２に装着されたＵＩＣＣ４００に格納された情報を書き換える。書換部５０６は、書換要求受信部５０４が、仮ＩＭＳＩを本ＩＭＳＩに書き換える書換要求を受信したことに応じて、ＵＩＣＣ４００のＩＭＳＩを格納する領域に記憶された仮ＩＭＳＩを本ＩＭＳＩに書き換える。また、書換部５０６は、書換要求受信部５０４が、本ＩＭＳＩを変更ＩＭＳＩに書き換える書換要求を受信したことに応じて、ＵＩＣＣ４００のＩＭＳＩを格納する領域に記憶された本ＩＭＳＩを変更ＩＭＳＩに書き換える。
【００８６】
上記実施形態では、ＭＮＯシステム１００を無線通信システムの一例として説明したが、これに限らない。管理サーバ１１０及び書換サーバ１４０が無線通信システムであってもよい。また、無線通信システムは、管理サーバ１１０及び書換サーバ１４０の機能を有する一の装置であってもよい。
【００８７】
上記実施形態において、管理サーバ１１０を加入者情報管理部の一例とし、書換サーバ１４０をＵＩＣＣ書換部の一例として説明したが、これに限らない。管理サーバ１１０が、加入者情報管理部及びＵＩＣＣ書換部を備えてもよい。
【００８８】
上記実施形態において、仮ＩＭＳＩが格納されたＵＩＣＣ４００は、複数の形状を有していてよい。例えば、ＵＩＣＣ４００のサイズは、ＩＤ−１（１ＦＦ）、Ｐｌｕｇ−ｉｎ（２ＦＦ）、Ｍｉｎｉ（３ＦＦ）及びｎａｎｏ（４ＦＦ）等のいずれかであってよい。
【００８９】
以上の説明において、管理サーバ１１０、書換サーバ１４０、ＵＩＣＣ４００及びＵＩＣＣライタ５００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、管理サーバ１１０、書換サーバ１４０又はＵＩＣＣライタ５００として機能してもよい。プログラムは、コンピュータ読み取り可能な媒体又はネットワークに接続された記憶装置から、管理サーバ１１０、書換サーバ１４０又はＵＩＣＣライタ５００の少なくとも一部を構成するコンピュータにインストールされてよい。コンピュータにインストールされ、コンピュータを本実施形態に係る管理サーバ１１０、書換サーバ１４０又はＵＩＣＣライタ５００として機能させるプログラムは、ＣＰＵ等に働きかけて、コンピュータを、管理サーバ１１０、書換サーバ１４０又はＵＩＣＣライタ５００の各部としてそれぞれ機能させる。これらのプログラムに記述された情報処理は、コンピュータに読込まれることにより、ソフトウエアと管理サーバ１１０、書換サーバ１４０又はＵＩＣＣライタ５００のハードウエア資源とが協働した具体的手段として機能する。また、プログラムが実行されることにより、ＵＩＣＣが、ＵＩＣＣ４００として機能してもよい。ＵＩＣＣにインストールされ、ＵＩＣＣを本実施形態に係るＵＩＣＣ４００として機能させるプログラムは、ＣＰＵ等に働きかけて、ＵＩＣＣを、ＵＩＣＣ４００の各部としてそれぞれ機能させる。
【００９０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９１】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９２】
１０  ネットワーク、２０  基地局、４０  店舗、４２  店舗端末、１００  ＭＮＯシステム、１１０  管理サーバ、１１２  加入者情報格納部、１１４  登録要求送信部、１１６  登録要求送信部、１１８  完了報告受信部、１２０  書換要求送信部、１２２  完了通知送信部、１４０  書換サーバ、１４２  加入者情報格納部、１４４  登録要求受信部、１４６  登録部、１４８  書換要求送信部、１５０  書換完了報告受信部、１５２  完了報告送信部、１８０  加入者ＤＢ、１９０  中継サーバ、３００  無線通信端末、４００  ＵＩＣＣ、４０２  格納部、４０４  送信部、４０６  受信部、４０８  書換部、５００  ＵＩＣＣライタ、５０２  ＵＩＣＣ装着部、５０４  書換要求受信部、５０６  書換部
【図１】
2016213743.tif 000003
【図２】
2016213743.tif 000004
【図３】
2016213743.tif 000005
【図４】
2016213743.tif 000006
【図５】
2016213743.tif 000007
【図６】
2016213743.tif 000008
【図７】
2016213743.tif 000009
【図８】
2016213743.tif 000010
【図９】
2016213743.tif 000011
【図１０】
2016213743.tif 000012
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含む加入者情報を管理する加入者情報管理部と、
ＵＩＣＣ（Ｕｎｉｖｅｒｓａｌ  Ｉｎｔｅｇｒａｔｅｄ  Ｃｉｒｃｕｉｔ  Ｃａｒｄ）の情報を書き換えるＵＩＣＣ書換部と
を備え、
前記加入者情報管理部は、
無線通信端末の位置情報を管理する加入者データベースに対して、第１のＩＭＳＩを登録する第１登録要求を送信する第１登録要求送信部と、
前記ＵＩＣＣ書換部に対して、前記第１のＩＭＳＩ及び第２のＩＭＳＩを登録する第２登録要求を送信する第２登録要求送信部と、
前記ＵＩＣＣ書換部から第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記第２登録要求に基づいて、前記第１のＩＭＳＩ及び前記第２のＩＭＳＩを登録する登録部と、
前記第１のＩＭＳＩにより位置登録された無線通信端末に対して、前記第１のＩＭＳＩを前記第２のＩＭＳＩに書き換える第２書換要求を送信する第２書換要求送信部と、
前記無線通信端末から書換完了報告を受信したことに応じて、前記第２登録要求に対する前記完了報告を前記加入者情報管理部に送信する完了報告送信部と
を有し、
前記ＵＩＣＣは、前記ＵＩＣＣに割り当てられたＩＣＣＩＤ（ＩＣ  Ｃａｒｄ  ＩＤｅｎｔｉｆｉｅｒ）と前記第１のＩＭＳＩとを含む初期状態を格納し、
前記第２書換要求送信部は、前記無線通信端末に装着された前記ＵＩＣＣに格納された情報を前記初期状態に戻した後に前記第１のＩＭＳＩを前記第２のＩＭＳＩに書き換える前記第２書換要求を、前記無線通信端末に対して送信する、
無線通信システム。
【請求項２】
ＩＭＳＩを含む加入者情報を管理する加入者情報管理部と、
ＵＩＣＣの情報を書き換えるＵＩＣＣ書換部と
を備え、
前記加入者情報管理部は、
無線通信端末の位置情報を管理する加入者データベースに対して、第１のＩＭＳＩを登録する第１登録要求を送信する第１登録要求送信部と、
前記ＵＩＣＣ書換部に対して、前記第１のＩＭＳＩ及び第２のＩＭＳＩを登録する第２登録要求を送信する第２登録要求送信部と、
前記ＵＩＣＣ書換部から第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記第２登録要求に基づいて、前記第１のＩＭＳＩ及び前記第２のＩＭＳＩを登録する登録部と、
前記第１のＩＭＳＩにより位置登録された無線通信端末に対して、前記第１のＩＭＳＩを前記第２のＩＭＳＩに書き換える第２書換要求を送信する第２書換要求送信部と、
前記無線通信端末から書換完了報告を受信したことに応じて、前記第２登録要求に対する前記完了報告を前記加入者情報管理部に送信する完了報告送信部と
を有し、
前記第１のＩＭＳＩは、前記ＵＩＣＣ書換部との通信以外の通信が制限される識別情報であり、
前記第１のＩＭＳＩを用いて位置登録された前記無線通信端末は、音声通話及びデータ通信が制限される、
無線通信システム。
【請求項３】
前記第１のＩＭＳＩを用いて位置登録された前記無線通信端末は、音声通話及びデータ通信が禁止される、請求項２に記載の無線通信システム。
【請求項４】
前記第１登録要求送信部は、前記加入者データベースに対して、前記第１のＩＭＳＩ及び一のＭＳＩＳＤＮを対応付けて登録する前記第１登録要求を送信し、
前記第２登録要求送信部は、前記ＵＩＣＣ書換部に対して、前記第１のＩＭＳＩ、前記第２のＩＭＳＩ及び前記一のＭＳＩＳＤＮを登録する前記第２登録要求を送信し、
前記第１書換要求送信部は、前記ＵＩＣＣ書換部から前記完了報告を受信したことに応じて、前記第１のＩＭＳＩ及び前記一のＭＳＩＳＤＮとの対応付けを、前記第２のＩＭＳＩ及び前記一のＭＳＩＳＤＮとの対応付けに書き換える前記第１書換要求を前記加入者データベースに送信する、請求項１から３のいずれか一項に記載の無線通信システム。
【請求項５】
前記加入者データベースは、ＭＳＩＳＤＮが対応付けられていないＩＭＳＩを登録することを要求する前記第１登録要求を拒否する、請求項４に記載の無線通信システム。
【請求項６】
前記加入者データベースは、一のＩＭＳＩ以外の他のＩＭＳＩに対応付けられて登録されているＭＳＩＳＮＤと同一のＭＳＩＳＤＮと、前記一のＩＭＳＩとの対応付けの登録を拒否する、請求項４又は５に記載の無線通信システム。
【請求項７】
前記第２登録要求送信部は、前記第１のＩＭＳＩにより位置登録された前記無線通信端末の契約内容の種別を示す契約種別情報を含む前記第２登録要求を前記ＵＩＣＣ書換部に対して送信し、
前記第２書換要求送信部は、前記契約種別情報に基づいて決定した前記第２書換要求を前記無線通信端末に対して送信する、請求項１から６のいずれか一項に記載の無線通信システム。
【請求項８】
前記第１のＩＭＳＩは、一意の識別情報であり、
前記無線通信端末は、前記第１のＩＭＳＩを用いてローミングが可能である、請求項１から７のいずれか一項に記載の無線通信システム。
【請求項９】
ＩＭＳＩを含む加入者情報を管理する加入者情報管理部と、
ＵＩＣＣの情報を制御するＵＩＣＣ書換部と、
ＵＩＣＣに対して情報を書き込むＵＩＣＣライタと
を備え、
前記ＵＩＣＣライタは、
一のＵＩＣＣに格納された第１のＩＭＳＩを第２のＩＭＳＩに書き換える書換部
を有し、
前記加入者情報管理部は、
無線通信端末の位置情報を管理する加入者データベースに対して、前記第１のＩＭＳＩを登録する第１登録要求を送信する第１登録要求送信部と、
前記ＵＩＣＣ書換部に対して、前記第１のＩＭＳＩ及び前記第２のＩＭＳＩを登録する第２登録要求を送信する第２登録要求送信部と、
前記ＵＩＣＣ書換部から、前記第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記登録要求に基づいて、前記第１のＩＭＳＩ及び前記第２のＩＭＳＩを登録する登録部と、
前記ＵＩＣＣライタに対して、前記第１のＩＭＳＩを前記第２のＩＭＳＩに書き換える第２書換要求を送信する第２書換要求送信部と
を有し、
前記ＵＩＣＣは、前記ＵＩＣＣに割り当てられたＩＣＣＩＤと前記第１のＩＭＳＩとを含む初期状態を格納し、
前記第２書換要求送信部は、前記ＵＩＣＣに格納された情報を前記初期状態に戻した後に前記第１のＩＭＳＩを前記第２のＩＭＳＩに書き換える前記第２書換要求を、前記ＵＩＣＣライタに対して送信する、
無線通信システム。
【請求項１０】
ＩＭＳＩを含む加入者情報を管理する加入者情報管理部と、
ＵＩＣＣの情報を制御するＵＩＣＣ書換部と、
ＵＩＣＣに対して情報を書き込むＵＩＣＣライタと
を備え、
前記ＵＩＣＣライタは、
一のＵＩＣＣに格納された第１のＩＭＳＩを第２のＩＭＳＩに書き換える書換部
を有し、
前記加入者情報管理部は、
無線通信端末の位置情報を管理する加入者データベースに対して、前記第１のＩＭＳＩを登録する第１登録要求を送信する第１登録要求送信部と、
前記ＵＩＣＣ書換部に対して、前記第１のＩＭＳＩ及び前記第２のＩＭＳＩを登録する第２登録要求を送信する第２登録要求送信部と、
前記ＵＩＣＣ書換部から、前記第２登録要求に対する完了報告を受信したことに応じて、前記第１のＩＭＳＩを前記第２のＩＭＳＩに書き換える第１書換要求を前記加入者データベースに送信する第１書換要求送信部と
を有し、
前記ＵＩＣＣ書換部は、
前記第２登録要求送信部から送信された前記登録要求に基づいて、前記第１のＩＭＳＩ及び前記第２のＩＭＳＩを登録する登録部と、
前記ＵＩＣＣライタに対して、前記第１のＩＭＳＩを前記第２のＩＭＳＩに書き換える第２書換要求を送信する第２書換要求送信部と
を有し、
前記第１のＩＭＳＩは、前記ＵＩＣＣ書換部との通信以外の通信が制限される識別情報であり、
前記第１のＩＭＳＩを用いて位置登録された前記無線通信端末は、音声通話及びデータ通信が制限される、
無線通信システム。